(57)【要約】【課題】  液体酸素系漂白剤の漂白成分である過酸化水素及び漂白活性化剤の安定性を確保し、長期的に安定な漂白効果を発現することができ、更に強アルカリ条件下ばかりでなく弱アルカリ条件下においても、十分な漂白効果を発現することができる液体漂白剤組成物の提供。【解決手段】  （ａ）過酸化水素又は水中で過酸化水素を生成する化合物、（ｂ）一般式（１ａ）で表される漂白活性化剤、（ｃ）一般式（２ａ）で表される脂肪酸又はその塩及び（ｄ）界面活性剤を含有し、組成物中の（ｄ）成分の含有量が３０〜７０質量％である液体漂白剤組成物。        Ｒ1a−Ｃ（＝Ｏ）−ＬＧ      （１ａ）        Ｒ2a−Ｃ（＝Ｏ）−ＯＨ      （２ａ）（式中、Ｒ1aは炭素数６〜１３の直鎖又は分岐鎖の炭化水素基、ＬＧは脱離基、Ｒ2aは炭素数６〜１３の直鎖又は分岐鎖の炭化水素基である。）【選択図】  なし【特許請求の範囲】
【請求項１】
下記（ａ）成分、（ｂ）成分、（ｃ）成分及び（ｄ）成分を含有し、組成物中の（ｄ）成分の含有量が３０〜７０質量％である液体漂白剤組成物。
（ａ）：過酸化水素又は水中で過酸化水素を生成する化合物
（ｂ）：一般式（１ａ）で表される漂白活性化剤
Ｒ1a−Ｃ（＝Ｏ）−ＬＧ      （１ａ）
（式中、Ｒ1aは炭素数６〜１３の直鎖又は分岐鎖の炭化水素基、ＬＧは脱離基である。）
（ｃ）：一般式（２ａ）で表される脂肪酸又はその塩
Ｒ2a−Ｃ（＝Ｏ）−ＯＨ    （２ａ）
（式中、Ｒ2aは炭素数６〜１３の直鎖又は分岐鎖の炭化水素基である。）
（ｄ）：界面活性剤
【請求項２】
（ｂ）成分の漂白活性化剤が、アルカノイル基の炭素数７〜１４の、直鎖又は分岐鎖のアルカノイルオキシベンゼンスルホン酸、直鎖又は分岐鎖のアルカノイルオキシベンゼンカルボン酸及びそれらの塩から選ばれる少なくとも１種である、請求項１記載の液体漂白剤組成物。
【請求項３】
（ｄ）成分が非イオン界面活性剤を含む請求項１又は２記載の液体漂白剤組成物。
【請求項４】
非イオン界面活性剤が、グリフィン法で求めたＨＬＢが１３〜１７の非イオン界面活性剤である、請求項３記載の液体漂白剤組成物。
【請求項５】
非イオン界面活性剤が、ポリオキシエチレンアルキルエーテル型非イオン界面活性剤、並びにオキシエチレン基及びオキシプロピレン基を有するポリオキシアルキレンアルキルエーテル型非イオン界面活性剤から選ばれる少なくとも１種である、請求項３又は４記載の液体漂白剤組成物。
【請求項６】
更に、（ｅ）成分としてホウ酸、ホウ砂及びホウ酸塩から選ばれる少なくとも１種の化合物、並びに（ｆ）成分として隣合う炭素原子の両方にそれぞれ１つヒドロキシル基を有する部位が１つ以上存在する化合物を、（ｅ）成分１当量に対し（ｆ）成分１．５〜４モルの割合で含有する請求項１〜５いずれかに記載の液体漂白剤組成物。
【請求項７】
油中水型エマルション型である請求項１〜６いずれかに記載の液体漂白剤組成物。
【発明の詳細な説明】
【技術分野】
【０００１】
本発明は、液体漂白剤組成物に関する。
【背景技術】
【０００２】
漂白剤は塩素系漂白剤と酸素系漂白剤に分けられるが、塩素系漂白剤は使用できる繊維に制限があり、色・柄物には使用できず、また特有の臭いを有していることから、これらの欠点のない酸素系漂白剤が最近著しく普及している。この酸素系漂白剤のうち、過炭酸ナトリウムや過ほう酸ナトリウムが粉末酸素系漂白剤として使用されており、また、過酸化水素が液体酸素系漂白剤として使用されているが、特に塗布しやすいなどの使いやすさから液体酸素系漂白剤が好まれている。また、液体酸素系漂白剤は、塩素系漂白剤に比べ漂白力が低いため、それを補うために漂白活性化剤を併用して漂白力を高めることが行われている。
【０００３】
しかし、漂白活性化剤は、強酸性条件下では比較的安定であるが、弱酸性条件下では経時により分解し酸素ガスを発生するため漂白力の低下の要因となる。この漂白活性化剤の安定化のために、種々の検討がなされてきた。例えば、特許文献１には、漂白活性化剤の安定化のために、分岐アルカノイル基を有する漂白活性化剤を添加することが記載されている。
【特許文献１】特開平１０−２５１６８９号公報
【発明の開示】
【発明が解決しようとする課題】
【０００４】
漂白剤は、過酸化水素及び漂白活性化剤の安定化のため酸性条件下で保存し、使用場面において洗剤と併用してアルカリ性条件にすることで高い漂白力が得られることが知られている。しかし、最近急激に市場規模を拡大させている液体洗剤は一般に弱アルカリ性であるため、強アルカリ性である粉末洗剤と比較して、漂白剤を併用した場合において漂白効果が得られにくいという問題点がある。
【０００５】
従って、本発明の課題は、液体酸素系漂白剤の漂白成分である過酸化水素及び漂白活性化剤（特に、漂白活性化剤）の安定性を確保し、長期的に安定な漂白効果を発現することができ、更に強アルカリ条件下ばかりでなく弱アルカリ条件下においても、十分な漂白効果を発現することができる液体漂白剤組成物を提供することにある。
【課題を解決するための手段】
【０００６】
本発明者らは、界面活性剤（特に、非イオン界面活性剤を含む界面活性剤）を高配合することによって、過酸化水素及び漂白活性化剤の安定化を実現し得ることを見出し、更に漂白剤に界面活性剤を高濃度で含有させた系に、特定の脂肪酸を配合することで、弱アルカリ性条件下においても漂白活性化剤からの有機過酸の生成率を向上させ、高い漂白効果が得られ得ることを見出した。
【０００７】
即ち、本発明は、下記（ａ）成分、（ｂ）成分、（ｃ）成分及び（ｄ）成分を含有し、組成物中の（ｄ）成分の含有量が３０〜７０質量％である液体漂白剤組成物を提供する。
（ａ）：過酸化水素又は水中で過酸化水素を生成する化合物
（ｂ）：一般式（１ａ）で表される漂白活性化剤
Ｒ1a−Ｃ（＝Ｏ）−ＬＧ      （１ａ）
（式中、Ｒ1aは炭素数６〜１３の直鎖又は分岐鎖の炭化水素基、ＬＧは脱離基である。）
（ｃ）：一般式（２ａ）で表される脂肪酸又はその塩
Ｒ2a−Ｃ（＝Ｏ）−ＯＨ    （２ａ）
（式中、Ｒ2aは炭素数６〜１３の直鎖又は分岐鎖の炭化水素基である。）
（ｄ）：界面活性剤
【発明の効果】
【０００８】
本発明により、液体酸素系漂白剤の漂白成分である過酸化水素及び漂白活性化剤の安定性を十分に確保し、弱アルカリ条件下においても十分な漂白効果を発現する液体漂白組成物を提供することができる。
【発明を実施するための最良の形態】
【０００９】
［（ａ）成分］
本発明の液体漂白剤組成物は、（ａ）成分として過酸化水素又は水中で過酸化水素を生成する化合物を含有する。水中で過酸化水素を生成する化合物としては、過炭酸塩、過ホウ酸塩等が挙げられる。
【００１０】
［（ｂ）成分］
本発明の液体漂白剤組成物は、（ｂ）成分として、上記一般式（１ａ）で表される漂白活性化剤を含有する。
【００１１】
一般式（１ａ）において、Ｒ1aは、好ましくは炭素数６〜１３の分岐鎖のアルキル基であり、カルボニル炭素に対してα位又はβ位に側鎖を有する炭素数６〜１３の分岐鎖アルキル基がより好ましい。このような分岐鎖アルキル基を有する漂白活性化剤は、直鎖アルキル基を有する漂白活性化剤と比較して、弱酸性領域における貯蔵安定性の向上を確保できることから、より高い漂白効果及び高い洗浄効果を液体漂白剤組成物に付与することが可能となる。
【００１２】
また、一般式（１ａ）において、ＬＧで示される脱離基としては、具体的には以下の群から選ばれる基が挙げられる。
【００１３】
【化１】
2007308590.tif 000002
【００１４】
（ここでＲ1bはアルキレン基、好ましくは炭素数１〜５のアルキレン基を示し、ｐは０又は１、Ｍは水素原子、アルカリ金属又はアルカリ土類金属を示す。）
（ｂ）成分としては、アルカノイル基の炭素数７〜１４の、直鎖又は分岐鎖のアルカノイルオキシベンゼンスルホン酸、直鎖又は分岐鎖のアルカノイルオキシベンゼンカルボン酸及びそれらの塩から選ばれる少なくとも１種が好ましく、下記一般式（１ｃ）で表される化合物が更に好ましい。
【００１５】
【化２】
2007308590.tif 000003
【００１６】
〔式中、Ｒ1c−ＣＯ−は、カルボニル炭素に対してα位及びβ位の少なくとも一方に側鎖を有する総炭素数７〜１４、好ましくは８〜１４のアルカノイル基であり、Ｒ1c−は下記のα位分岐型又はβ位分岐型が好適である。
【００１７】
【化３】
2007308590.tif 000004
【００１８】
ここで、Ｒ1dは炭素数４〜１０のアルキル基であり、Ｒ1eはメチル基、エチル基、プロピル基及びブチル基から選ばれる基である。Ｘは−ＣＯＯＭ及び−ＳＯ3Ｍから選ばれる基であり、Ｍは水素原子、アルカリ金属又はアルカリ土類金属である。〕
本発明の（ｂ）成分としては、一般式（１ｃ）において、Ｒ1c−ＣＯ−が２−エチルヘキサノイル基、３，５，５−トリメチルヘキサノイル基、２−エチルペンタノイル基、又は３，６，８，８−テトラメチルノナノイル基が好ましく、特に３，５，５−トリメチルヘキサノイル基が最も好適である。また、Ｘが−ＣＯＯＭ又は−ＳＯ3Ｍである化合物が好適であり、ｐ位に−ＣＯＯＭ又は−ＳＯ3Ｍを有する化合物（Ｍは水素原子、ナトリウム又はカリウムが好ましい）が最も好ましい。
【００１９】
［（ｃ）成分］
本発明の液体漂白剤組成物は、（ｃ）成分として、上記一般式（２ａ）で表される脂肪酸又はその塩を含有する。
【００２０】
一般式（２ａ）において、Ｒ2aは、炭素数６〜１３の直鎖又は分岐鎖の炭化水素基であり、好ましくは炭素数６〜１３の直鎖又は分岐鎖のアルキル基、アルケニル基であり、より好ましくは炭素数６〜１３の直鎖又は分岐鎖のアルキル基である。
【００２１】
本発明の（ｃ）成分の具体例としては、ｎ−ヘプタン酸、ｎ−オクタン酸、ｎ−ノナン酸、ｎ−デカン酸、ｎ−ドデカン酸、ｎ−テトラデカン酸、３，５，５−トリメチルヘキサン酸、２−エチルヘキサン酸、及びそれらの塩からなる群から選択される少なくとも１種が挙げられる。
【００２２】
［（ｄ）成分］
本発明の液体漂白剤組成物は、界面活性剤を含有する。界面活性剤は、陰イオン界面活性剤、非イオン界面活性剤、陽イオン界面活性剤及び両性界面活性剤からなる群から選択される少なくとも１種であり、特許庁公報「周知・慣用技術集（衣料用粉末洗剤）」日本国特許庁、平成１０年３月２６日、Ｐ４〜２２に記載されている界面活性剤を用いることができる。
【００２３】
本発明の界面活性剤は、非イオン界面活性剤を含有することが好ましい。非イオン界面活性剤としては、下記一般式（３）で表される化合物が好ましく、グリフィン法で求めたＨＬＢが１３〜１７の非イオン界面活性剤がより好ましい。
【００２４】
Ｒ3a−Ｏ［(ＥＯ)m／(ＰＯ)n］−Ｈ      （３）
〔式中、Ｒ3aは、炭素数１０〜１８、好ましくは１２〜１４のアルキル基又はアルケニル基を示す。ｍは数平均付加モル数０〜２０の数、ｎは数平均付加モル数０〜２０の数を示し、ｍ及びｎの両者が０の場合を除く。好ましくはｍの数平均付加モル数は６〜１５、より好ましくは７〜１２であり、ｎの数平均付加モル数は０〜１０、より好ましくは０〜５、特に好ましくは０〜３である。またＥＯとＰＯとはランダム共重合体又はブロック共重合体のいずれの形態で配列されていてもよい。〕
ここで、グリフィン法で求めたＨＬＢとは、以下の式で求めたＨＬＢである。
【００２５】
ＨＬＢ値＝２０×親水部の式量の総和／分子量
これらの非イオン界面活性剤の中では、ポリオキシエチレンアルキルエーテル型非イオン界面活性剤、並びにオキシエチレン基及びオキシプロピレン基を有するポリオキシアルキレンアルキルエーテル型非イオン界面活性剤から選ばれる少なくとも１種が好ましく、具体的には、下記一般式で表される化合物が挙げられるが、これらに限定されない。
【００２６】
Ｃ12Ｈ25-Ｏ(Ｃ2Ｈ4Ｏ)m1−Ｈ  （ｍ１＝７〜２０、ＨＬＢ＝１３．１〜１６．９）
Ｃ14Ｈ29-Ｏ(Ｃ2Ｈ4Ｏ)m2−Ｈ  （ｍ２＝７〜２４、ＨＬＢ＝１３．１〜１７．０）
Ｃ12Ｈ25-Ｏ(Ｃ2Ｈ4Ｏ)p1(Ｃ3Ｈ6Ｏ)2(Ｃ2Ｈ4Ｏ)r1−Ｈ  （ｐ１＋ｒ１＝５〜１８、ＨＬＢ＝１３．４〜１７．０）
これら一般式で表される化合物の一例として、ポリオキシエチレンラウリルエーテル（オキシエチレン平均付加モル数８、ＨＬＢ１３．１）、Ｃ12Ｈ25-Ｏ(Ｃ2Ｈ4Ｏ)7-(Ｃ3Ｈ6Ｏ)2-(Ｃ2Ｈ4Ｏ)4−Ｈ（ＨＬＢ１５．８）などが挙げられる。
【００２７】
これらの非イオン界面活性剤の中では、特にオキシエチレン基及びオキシプロピレン基を有するポリオキシアルキレンアルキルエーテル型非イオン性界面活性剤が好ましい。このポリオキシアルキレンアルキルエーテル型非イオン性界面活性剤は、ランダム共重合体又はブロック共重合体のいずれの形態で配列されていてもよく、その中でもブロック共重合体が好ましい。ブロック共重合体の形態としては、下記一般式（４）で表され、グリフィン法で求めたＨＬＢが１３〜１７である化合物が特に好ましい。
【００２８】
Ｒ4a−Ｏ(ＥＯ)a(ＰＯ)b(ＥＯ)c−Ｈ        （４）
〔式中、Ｒ4aは炭素数１０〜１８、好ましくは１２〜１４のアルキル基又はアルケニル基を示す。ａは数平均付加モル数１〜２０の数、ｂは数平均付加モル数１〜２０の数、ｃは数平均付加モル数１〜２０の数を示す。好ましくは、ａの数平均付加モル数は６〜１５、より好ましくは７〜１２であり、ｂの数平均付加モル数は１〜１０、より好ましくは１〜５、特に好ましくは１〜３であり、ｃの数平均付加モル数は６〜１５、より好ましくは７〜１２である。〕
本発明の非イオン界面活性剤は、２種以上の混合物として配合し得る。
【００２９】
［液体漂白剤組成物］
本発明の液体漂白剤組成物は、上記（ａ）成分、（ｂ）成分、（ｃ）成分及び（ｄ）成分を含有する。
【００３０】
本発明の液体漂白剤組成物中における（ａ）成分の含有量（過酸化水素としての含有量）は、好ましくは０．１〜６質量％、より好ましくは０．５〜５質量％、更に好ましくは１〜４．５質量％、特に好ましくは１〜３質量％である。このような範囲において優れた漂白効果を得ることができる。
【００３１】
本発明の液体漂白剤組成物中における（ｂ）成分の含有量は、優れた漂白効果を得る観点から、好ましくは０．１〜１０質量％、より好ましくは０．２〜５質量％、特に好ましくは０．２〜２質量％である。
【００３２】
本発明の液体漂白剤組成物中における（ｃ）成分の含有量は、漂白活性化剤の安定性向上の観点から、好ましくは０．０５〜１．５質量％、より好ましくは０．２〜１．５質量％、特に好ましくは０．３〜１．２質量％である。
【００３３】
本発明の液体漂白剤組成物中における（ｂ）成分と（ｃ）成分との質量比は、優れた漂白効果を得る観点から、５０／１〜１／１５が好ましく、２５／１〜１／１０がより好ましく、１０／１〜１／２が更に好ましい。
【００３４】
本発明の液体漂白剤組成物中における（ｄ）成分の含有量は、漂白活性化剤の安定性向上の観点から、３０〜７０質量％であり、好ましくは４５〜７０質量％、より好ましくは４５〜６５質量％である。特に、本発明の液体漂白剤組成物は、油中水型エマルション型になるように、（ｄ）成分の含有量を調整することが、漂白活性化剤の更なる安定性向上の観点から好ましい。
【００３５】
また、本発明の液体漂白剤組成物は、（ｂ）成分と（ｃ）成分とが以下の式（Ｉ）：
｜Ｒ1aの平均炭素数−Ｒ2aの平均炭素数｜≦５      （Ｉ）
で表される関係を有することが好ましい。即ち、（ｂ）成分中のＲ1aの平均炭素数と、（ｃ）成分中のＲ2aの平均炭素数の差を示す上記式（Ｉ）は、漂白活性化剤の安定化、弱アルカリ性条件下での過酸生成率を向上させる観点から、好ましくは５以下であり、より好ましくは４以下であり、更に好ましくは３以下である。上記式（Ｉ）の条件を満たすように一般式（１ａ）中のＲ1aと、一般式（２ａ）中のＲ2aの炭素数を選択することにより、貯蔵場面においては両者が会合することで安定化し、使用場面においては両者が解離して界面活性剤の構造が変化することで、漂白活性化剤からの有機過酸の生成率が向上することが、本発明の効果が得られる理由の一つであると考えられる。
【００３６】
本発明の液体漂白剤組成物は、洗剤と併用する併用型漂白剤としてではなく、洗剤と併用しない単独型漂白剤としても使用することができる。単独型漂白剤として使用する場合、使用場面においてｐＨを上昇させるために、本発明の液体漂白剤組成物中に、以下の（ｅ）成分及び（ｆ）成分を含有し得る。使用場面によっては、ｐＨが十分に上昇しないこともあるが、本発明の液体漂白剤組成物は、弱アルカリ条件下においても十分な漂白効果を発現し得る。
【００３７】
本発明の液体漂白剤組成物は、（ｅ）成分としてホウ酸、ホウ砂及びホウ酸塩から選ばれる少なくとも１種の化合物を含有し得る。ホウ酸塩としては、ホウ酸ナトリウム、ホウ酸カリウム、ホウ酸アンモニウム、４ホウ酸ナトリウム、４ホウ酸カリウム、４ホウ酸アンモニウム等が挙げられる。
【００３８】
本発明の液体漂白剤組成物は、（ｆ）成分として、隣合う炭素原子の両方にそれぞれ１つヒドロキシル基を有する部位が１つ以上存在する化合物を含有し得る。
【００３９】
（ｆ）成分は（ｅ）成分と組み合わせて用いることが好ましい。本発明において、（ｆ）成分は、液体漂白剤組成物中で（ｅ）成分とモノ体又はジ体を形成し得る化合物であり（下記一般式を参照）、３個以上のヒドロキシル基を有し、且つ隣り合う炭素原子の両方にそれぞれ１つヒドロキシル基を有する部位が１つ以上存在するような構造を有する化合物が好ましい。
【００４０】
ここで、（ｅ）成分と（ｆ）成分との間には下記の式のような平衡反応が存在する。
【００４１】
【化４】
2007308590.tif 000005
【００４２】
（ｆ）成分の具体例としては下記（ｉ）〜（iv）の化合物が好適であり、これらの化合物からなる群より選ばれる少なくとも１種以上を用いることができる。
【００４３】
（ｉ）グリセリン、ジグリセリン、トリグリセリン、アルキル（炭素数１〜１０）ポリグリセリルエーテル（例えば、アルキル（炭素数１〜１０）ジグリセリルエーテル、アルキル（炭素数１〜１０）トリグリセリルエーテル）
（ii）ソルビトール、マンニトール、マルチトース、イノシトール、及びフィチン酸から選ばれる糖アルコール類
（iii）グルコース、アピオース、アラビノース、ガラクトース、リキソース、マンノース、ガロース、アルドース、イドース、タロース、キシロース、及びフルクトースから選ばれる還元糖類、及びこれらの誘導体（アルキル（ポリ）グリコシド等）
（iv）デンプン、デキストラン、キサンタンガム、グアガム、カードラン、プルラン、アミロース、及びセルロースから選ばれる多糖類。
【００４４】
本発明では、特に上記（ii）の糖アルコール類が好適であり、単独又は複数で用いることができる。特にソルビトールが安定性及び漂白／洗浄効果の点から好適である。
【００４５】
一つの実施形態として、本発明の液体漂白剤組成物は、（ｅ）成分と（ｆ）成分から構成されるｐＨジャンプ系を、特定の組成及び比率で使用し得る。本発明の液体漂白剤組成物は、このような特定の組成及び比率を更に有することで、優れたｐＨジャンプ効果及び優れた過酸化水素の安定性を発現し得る。
【００４６】
本発明では液体漂白剤組成物に対して１０００容積倍の水により希釈した場合の希釈液の２０℃におけるｐＨが８．５以上１０．５未満、好ましくは９以上９．５未満になることが漂白／洗浄効果を得る目的から好ましい。
【００４７】
本発明においてはジ体がｐＨジャンプ系の主要成分であることが希釈溶液のｐＨを８．５以上１０．５未満にするために好適であり、液体漂白剤組成物中に存在する全ホウ素化合物に対して、ジ体の含有量が７０〜１００モル％であり、モノ体の含有量が５モル％未満であり、そして単独で存在するホウ酸、ホウ砂及び／又はホウ酸塩の含有量が２５モル％未満になるようにすることが好適である。本発明においては、（ｅ）成分１当量（例えば、ホウ砂及び４ホウ酸ナトリウムの場合はホウ素原子を４個含むため、４当量と考える）あたり、（ｆ）成分を、好ましくは１．５〜４モル、より好ましくは１．５〜２．７モル、更に好ましくは２〜２．７モル、特に好ましくは２．２〜２．７モル用いることで、優れたｐＨジャンプ効果、並びに過酸化水素及び漂白活性化剤の安定性が得られ得る。
【００４８】
なお、本発明では（ｅ）成分及び（ｆ）成分を液体漂白剤組成物に配合する場合には、一般に、液体漂白剤組成物中では上記モノ体、及びジ体の化合物に変換されている。本発明でいう（ｅ）成分の含有量とは、単独、モノ体及びジ体として存在する（ｅ）成分の全含有量を意味する。（ｆ）成分の含有量とは、単独、モノ体及びジ体として存在する（ｆ）成分の全含有量を意味する。本発明の（ｅ）成分の含有量は、優れたｐＨジャンプ効果を達成させる観点から、液体漂白剤組成物中においてホウ素原子として好ましくは０．０５〜１質量％、より好ましくは０．１５〜０．５質量％、特に好ましくは０．２〜０．４質量％である。（ｆ）成分の含有量は、優れたｐＨジャンプ効果を達成させる観点から、液体漂白剤組成物中において好ましくは３〜３５質量％、より好ましくは５〜３０質量％、特に好ましくは１０〜２０質量％である。
【００４９】
なお、変換されたモノ体及びジ体の含有量は、ホウ素（11Ｂ）のＮＭＲ分光法とＩＣＰ発光分析法との組合せを用いることで算出することができる。
【００５０】
本発明の液体漂白剤組成物は、過酸化水素及び漂白活性化剤の安定性向上の観点から、金属イオン封鎖剤を含有し得る。金属イオン封鎖剤としては、ホスホン酸系化合物が好ましく用いられる。その具体例としては、エタン−１，１−ジホスホン酸、エタン−１，１，２−トリホスホン酸塩、エタン−１−ヒドロキシ−１，１−ジホスホン酸、エタン−１−ヒドロキシ−１，１，２−トリホスホン酸、エタン−１，２−ジカルボキシ−１，２−ジホスホン酸、メタンヒドロキシホスホン酸、ニトリロトリメチレンホスホン酸、エチレンジアミンテトラキスメチレンホスホン酸等の有機ホスホン酸誘導体等が挙げられる。これらは１種又は２種以上配合することができる。中でも、エタン−１−ヒドロキシ−１，１−ジホスホン酸、エチレンジアミンテトラキスメチレンホスホン酸等が好ましい。
【００５１】
本発明の液体漂白剤組成物は、過酸化水素及び漂白活性化剤の安定性向上の観点から、ラジカルトラップ剤を含有し得る。ラジカルトラップ剤としては、フェノール系、すなわちフェノール性ＯＨ基を有する化合物、そのエステル誘導体やエーテル誘導体等の誘導体が好ましい。好適な例としては、ジメトキシフェノール、カテコール、ハイドロキノン、メトキシフェノール、ジブチルヒドロキシトルエン（ＢＨＴ）等が挙げられる。
【００５２】
本発明の液体漂白剤組成物は、香料等の各種成分を安定させる観点から、ハイドロトロープ剤を含有し得る。ハイドロトロープ剤としては、エタノール、イソプロパノール、フェニルポリオキシエチレンアルコール等の１価アルコール類や、エチレングリコール、プロピレングリコール、ポリエチレングリコール、グリセリン等の多価アルコール類等が挙げられる。
【００５３】
その他に本発明の液体漂白剤組成物は、シリコーン類、殺菌剤、蛍光染料、酵素、香料等の任意成分を配合し得る。本発明の液体洗浄剤組成物は水を含有し、通常、組成物の残部は水である。香料としては、例えば、特許公開２００３−２１３２９５段落［０００７］〜［００２２］に記載の香料を使用することができる。
【００５４】
本発明の液体漂白剤組成物は、２０℃におけるｐＨが好ましくは２〜６、より好ましくは２．５〜５．５、更に好ましくは２．５〜５において、安定性の向上、特に漂白活性化剤を配合する場合の更なる安定化を実現でき、貯蔵後でも優れた漂白洗浄性能を発現する。
【実施例】
【００５５】
実施例及び比較例で用いた配合成分を以下にまとめて示す。
【００５６】
＜配合成分＞
（ａ）成分
・ａ−１；過酸化水素
（ｂ）成分
・ｂ−１；デカノイルオキシベンゼンスルホン酸ナトリウム（ｎ-Ｃ9Ｈ19ＣＯＯＣ6Ｈ4ＳＯ3Ｎａ）
・ｂ−２；下記式で表されるｉｓｏ−ノナノイルオキシベンゼンスルホン酸ナトリウム
【００５７】
【化５】
2007308590.tif 000006
【００５８】
（ｃ）成分
・ｃ−１；ｎ−ドデカン酸ナトリウム
・ｃ−２；下記式で表される３，５，５−トリメチルヘキサン酸
【００５９】
【化６】
2007308590.tif 000007
【００６０】
・ｃ−３；ｎ−デカン酸
・ｃ−４；ｎ−テトラデカン酸ナトリウム
（ｃ’）成分（（ｃ）成分の比較品）
・ｃ’−１；オクタデカン酸
・ｃ’−２；酢酸
（ｄ）成分
・ｄ−１；ポリオキシエチレンラウリルエーテル（オキシエチレン平均付加モル数８、ＨＬＢ１３．１）
・ｄ−２；Ｃ12Ｈ25Ｏ-(Ｃ2Ｈ4Ｏ)7-(Ｃ3Ｈ6Ｏ)2-(Ｃ2Ｈ4Ｏ)4-Ｈ（ＨＬＢ１５．８）
（ｅ）成分
・ｅ−１；ホウ酸
（ｆ）成分
・ｆ−１；Ｄ−ソルビトール
その他成分
・ｇ−１；金属イオン封鎖剤；エタン−１−ヒドロキシ−１，１−ジホスホン酸（デイクエスト２０１０、ソルーシア社製）
実施例１〜１０、比較例１〜５
表１に示す成分を用い、表１に示す組成の液体漂白剤組成物を調製した。得られた液体漂白剤組成物について、漂白性能、組成物の溶液状態、漂白活性化剤の貯蔵安定性及び有機過酸の発生率を以下の方法により評価した。その結果を表１に示す。
【００６１】
＜漂白性能の評価法＞
液体漂白剤組成物１ｍＬと４°ＤＨ１０００ｍＬを混合した後、そこに以下の方法で調製したミートソース汚染布（４枚）を入れ、ターゴトメータを用いて２０℃、８０ｒｐｍで１０分間漂白処理を行った。処理前後の布表面の反射率を測定し、下式(II)により漂白率を求めた。
【００６２】
・ミートソース汚染布の調製
カゴメ（株）製ミートソース（完熟トマトのミートソース（２００７年５月２７日賞味期限、ロット番号：Ｄ５５２７ＪＦ）／内容量２５９ｇの缶詰）の固形分をメッシュ（目の開き；５００μｍ）で除去した後、得られた液を煮沸するまで加熱した。この液に木綿金布＃２００３を浸し、１５分間煮沸した。そのまま火からおろし２時間程度放置し３０℃まで放置した後、布を取りだし、余分に付着している液をへらで除去し、自然乾燥させた。その後プレスし、１０×１０ｃｍの試験布として実験に供した。
【００６３】
【数１】
2007308590.tif 000008
【００６４】
＜組成物の溶液状態の評価法＞
組成物の溶液状態がＷ／Ｏ型を形成しているかどうかを識別する方法として、溶液の電導度測定による連続相の特定と、光散乱法による構造体の粒径測定を組み合わせることで確認した。
表中、Ｗ／Ｏは油中水型エマルション、Ｏ／Ｗは水中油型エマルションであることを示す。
【００６５】
＜漂白活性化剤の貯蔵安定性評価法＞
液体漂白剤組成物を１００ｍＬガラス製サンプルビンに８０ｇ入れ、３０℃で２ヶ月間貯蔵した。貯蔵前後の液体漂白剤組成物中における漂白活性化剤の含有量を高速液体クロマトグラフィーで測定し、下式(III)により漂白活性化剤残存率を求めた。
【００６６】
【数２】
2007308590.tif 000009
【００６７】
＜有機過酸発生率評価法＞
２５℃のイオン交換水６００ｍＬ中に液体漂白剤組成物４ｍＬ（浸漬洗浄時使用量相当）を添加し、撹拌した。３０分後に試験液に１％カタラーゼ溶液を１．５ｍＬ添加し、さらに３分攪拌した後２０％硫酸水溶液を１０ｍＬ添加し、ヨードメトリー法に従い有機過酸量を滴定し、下式(IV)によって有機過酸の発生率を求めた。
【００６８】
【数３】
2007308590.tif 000010
【００６９】
【表１】
2007308590.tif 000011
【００７０】
実施例１１〜１２、比較例６〜７
表２に示す成分を用い、表２に示す組成の液体漂白剤組成物を調製した。得られた液体漂白剤組成物について、下記方法で漂白性能を評価し、実施例１と同様の方法で組成物の溶液状態、漂白活性化剤の貯蔵安定性及び有機過酸の発生率を評価した。その結果を表２に示す。
【００７１】
＜漂白性能の評価法＞
０．１３３％市販液体洗剤液（ｐＨ＝８．２）の入った２リットル水溶液に液体漂白剤組成物を４０ｍＬ添加し、実施例１と同様に調製したミートソース汚染布を５枚ずつ１５分間浸漬させた。その後水道水ですすぎ、乾燥させ上記式(II)によって漂白率を算出した。
【００７２】
【表２】
2007308590.tif 000012